(57)【特許請求の範囲】
【請求項１】
書類等のファイル対象物の端部を上下両側から押圧してファイルする為のファイル用押圧装置において、
ファイル対象物の端部の下面に当接させる為のベース板と、
ファイル対象物の端部の上面を押圧する為の押圧板と
前記押圧板をベース板に連結する１対のリンクであって、各々の上端部が押圧板に押圧板の幅方向と平行な軸線回りに回動可能に連結された１対のリンクと、
前記ベース板の上面近傍部において１対のリンクの下端部をこれら下端部が離隔したり接近したりする方向へスライド自在に支持するガイド機構と、
前記１対のリンクの下端部が相接近方向へ移動しないようにロック可能で且つそれら下端部が相離隔方向へ移動するのを許容する一方向ロック機構と、
前記一方向ロック機構をロック可能状態とロック不能状態とに亙って切換え可能な切換え機構とを備え、
前記ベース板は金属製の薄板で構成され、前記ガイド機構はベース板に固定された立上げた立上げ板部にベース板と平行に形成した１対のガイドスリットを有し、
前記一方向ロック機構は、ガイドスリットと平行に延びるバー部材と、一方のガイドスリットに対応するバー部材部分の一側部に小間隔おきに形成された複数の第１係止歯と、他方のガイドスリットに対応するバー部材部分の一側部に小間隔おきに形成された複数の第２係止歯と、一方のリンクの下端部に設けられ第１係止歯で係止される第１板バネと、他方のリンクの下端部に設けられ第２係止歯で係止される第２板バネとを備えた、
ことを特徴とするファイル用押圧装置。
【請求項２】
前記リンクの上端部は、押圧板にその幅方向と平行な軸線回りに回動自在に装着されたロッドの端部に固着されたことを特徴とする請求項１に記載のファイル用押圧装置。
【発明の詳細な説明】
【０００１】
【発明の属する技術分野】
本発明は、ファイル用押圧装置に関し、特に書類等を綴じる厚型のファイルに好適のファイル用押圧装置に関する。
【従来の技術】
従来、書類等を綴じるファイルには、書類の端部に明けた１対の穴を介して綴じる型式のファイルと、書類の端部に穴を明けずに書類の端部を押圧挟持することで綴じるファイルとがある。前者のファイルでは、書類に少なくとも１対の穴をパンチするのが煩雑である。
【０００２】
そこで、前記の後者の型式のファイルも実用化されている。このファイルに設けられたファイル用押圧装置は、書類の下面に当接する金属製のベース板と、書類の上面を押圧する押圧板と、押圧板をベース板に接近・離隔可能に連結する１対のクランク状針金と、ベース板側に枢支したバネ支持ピンに支持されたねじりバネと、このねじりバネの一端部に固着されたレバーとを有し、ねじりバネの他端側のＬ形部分が上方へ延びて押圧板の上面の中央部に回動自在に連結されている。
【０００３】
前記押圧板は１対のクランク状針金を介して平行リンク的にベース板に連結され、レバーを回動操作することで、押圧板を平行移動させてベース板に接近させたり、離隔させたりすることができる。書類を綴じる際には、レバーを係止穴から外して上方へ傾動させると、１対のクランク状針金と、ねじりバネのＬ形部分によって、押圧板が上方へ平行移動する。書類を綴じる際に、レバーを下方へ傾動させると、１対のクランク状針金と、ねじりバネのＬ形部分によって、押圧板が下方へ平行移動して書類の上面を押圧し、レバーをベース板側の係止穴に係止させることで、書類を押圧した状態に綴じることができる。
【０００４】
【発明が解決しようとする課題】
前記のファイル用押圧装置は、１つのねじりバネの弾性力で書類を押圧して綴じるようになっているため、厚さが４ｃｍ以上もの厚型のファイルに適用するのに適していない。即ち、厚型のファイルに前記のファイル用押圧装置を適用した場合に、ねじりバネを大型化してバネ力を強化する必要があるため、そのねじりバネを枢支する枢支機構も大型するうえ、製作費も高価になる。しかも、押圧板をベース板から離隔させて厚い書類を綴じる際には、レバーを操作し大型のねじりバネを弾性変形させながら大きな角度レバーを回動操作しなければならないので、大きな腕力が必要となり、女性や子供など腕力の弱い人に使いにくいものになる。
【０００５】
ねじりバネを大型化したとしても、その弾性力で書類を押圧する構成であり、強固に押圧状態にロックできる訳ではないから、書類の脱落も発生し易い。また、ねじりバネのバネ特性で押圧力が決まるから、レバーを操作する操作力を強めても、強く押圧できる訳ではない。書類を着脱する状態では、レバーが上方へ斜めに突出するため、ファイルを開いた状態で書類を取り扱うような場合にレバーが邪魔になる。押圧板が１対のクランク状針金を介して上下に揺動しながら平行移動する構成であるから、書類の長さ方向中央部分を常に押圧できる訳ではなく、書類の厚さが増す程、押圧板の位置が書類の長さ方向中央部分からズレていくため、押圧の安定性や外観の面でも不利である。
【０００６】
本発明の目的は、書類に穴を明けることなく綴じるのに好適のファイル用押圧装置において、厚型の書類をファイルするのに適した装置にすること、強固に押圧できるようにすること、小型化でき安価に製作可能にすること、などである。
【０００７】
【課題を解決するための手段】
請求項１のファイル用押圧装置は、書類等のファイル対象物の端部を上下両側から押圧してファイルする為のファイル用押圧装置において、ファイル対象物の端部の下面に当接させる為のベース板と、ファイル対象物の端部の上面を押圧する為の押圧板と、前記押圧板をベース板に連結する１対のリンクであって、各々の上端部が押圧板に押圧板の幅方向と平行な軸線回りに回動可能に連結された１対のリンクと、前記ベース板の上面近傍部において１対のリンクの下端部をこれら下端部が離隔したり接近したりする方向へスライド自在に支持するガイド機構と、前記１対のリンクの下端部が相接近方向へ移動しないようにロック可能で且つそれら下端部が相離隔方向へ移動するのを許容する一方向ロック機構と、前記一方向ロック機構をロック可能状態とスック不能状態とに亙って切換え可能な切換え機構とを備え、前記ベース板は金属製の薄板で構成され、前記ガイド機構はベース板に固定された立上げ板部にベース板と平行に形成した１対のガイドスリットを有し、前記一方向ロック機構は、ガイドスリットと平行に延びるバー部材と、一方のガイドスリットに対応するバー部材部分の一側部に小間隔おきに形成された複数の第１係止歯と、他方のガイドスリットに対応するバー部材部分の一側部に小間隔おきに形成された複数の第２係止歯と、一方のリンクの下端部に設けられ第１係止歯で係止される第１板バネと、他方のリンクの下端部に設けられ第２係止歯で係止される第２板バネとを備えたものである。
【０００８】
ここで、ベース板は金属製の板部材で構成してもよいし、ファイルの裏表紙の一部を兼用した構成でもよい。このファイル用押圧装置は、表紙と裏表紙を有するファイルに組み込んだ状態で使用することもできるし、また、表紙と裏表紙を設けることなく、ファイル対象物の端部を押圧挟持する単独の押圧装置としても使用することができる。１対のリンクの下端部はガイド機構で案内されており、一方向ロック機構がロック可能状態にあるとき、１対のリンクの下端部が相離隔方向へ移動自在であるけれども、それら下端部が相接近方向へ移動しないようにロックされる。一方向ロック機構がロック不能状態に切換えられた状態では、１対のリンクの下端部は相離隔方向へも相接近方向へも移動自在である。
【０００９】
１対のリンクの下端部が相離隔方向へ移動すると、押圧板がベース板に接近する方向へ移動する。１対のリンクの下端部が相接近方向へ移動すると、押圧板がベース板から離隔する方向へ移動する。ファイル対象物をファイルする際には、切換え機構により一方向ロック機構をロック不能状態に切換えた状態で、押圧板を手で上方へ引き上げていくと、１対のリングの下端部が相接近方向へ移動して押圧板が上方へ移動する。
【００１０】
その状態で、ファイル対象物を綴じ込み、切換え機構により一方向ロック機構をロック可能状態に切換えてから、押圧板を手で下方へ押圧しファイル対象物を押圧すると、１対のリンクの下端部が相離隔方向へ移動し、押圧板がファイル対象物の端部の上面に当接してファイル対象物を押圧する。その状態で、押圧板から手を離しても、一方向ロック機構の作用により、１対のリンクの下端部が相接近方向へ移動しないため、押圧板による押圧状態が保持され、ファイル対象物の端部を押圧板とベース板の間に強固に押圧挟持しておくことができる。なお、ファイル対象物を押圧した状態で、１対のリンクの下部を手動で相離隔側へ僅かに開くことで、押圧力を強めることもできる。
【００１１】
【００１２】
そして、前記ベース板は金属製の薄板で構成され、前記ガイド機構はベース板に固定された立上げ板部にベース板と平行に形成した１対のガイドスリットを有するので、ガイドスリットをベース板の近傍位置に形成して、ガイド機構をベース板の近傍位置に形成することができるから、薄いファイル対象物を押圧することも可能になる。ガイド機構の構造も簡単になる。
【００１３】
しかも、前記一方向ロック機構は、ガイドスリットと平行に延びるバー部材と、一方のガイドスリットに対応するバー部材部分の一側部に小間隔おきに形成された複数の第１係止歯と、他方のガイドスリットに対応するバー部材部分の一側部に小間隔おきに形成された複数の第２係止歯と、一方のリンクの下端部に設けられ第１係止歯で係止される第１板バネと、他方のリンクの下端部に設けられ第２係止歯で係止される第２板バネとを備えているため、次の作用も奏する。
【００１４】
一方向ロック機構がロック可能状態で、１対のリンクの下端部が相離隔方向へ移動するとき、一方のリンクの下端部に設けられた第１板バネは第１係止歯を乗り越えながら移動し、他方のリンクの下端部に設けられた第２板バネは第２係止歯を乗り越えながら移動する。第１，第２板バネを弾性変形させながら、バー部材を例えば９０度回動させると、一方向ロック機構がロック不能状態に切換わるので、簡単な構成の切換え機構を実現することができる。
請求項２のファイル用押圧装置は、請求項１の発明において、前記リンクの上端部は、押圧板にその幅方向と平行な軸線回りに回動自在に装着されたロッドの端部に固着されたことを特徴とするものである。それ故、１対のリンクが傾動しても、押圧板をファイル対象物と平行な水平姿勢に保持することができる。
【００１５】
【発明の実施の形態】
以下、本発明の実施の形態について図面に基づいて説明する。本実施形態は本発明のファイル用押圧装置をファイルに適用した場合の一例である。図１に示すように、ファイル１は、書類等のファイル対象物２をファイルする為のものであり、このファイル１は、表紙３ａと背表紙３ｂと裏表紙３ｃとを備えたファイル本体３と、ファイル用押圧装置４とを有する。
【００１６】
図１〜図４に示すように、このファイル用押圧装置４は、ベース板１０、押圧板２０、１対のリンク３１，３２、ガイド機構４０、一方向ロック機構５０、切換え機構６０などを有する。このファイル用押圧装置４は、ファイル本体３の裏表紙３ｃに取り付けられている。ファイル本体３は、厚紙製又は合成樹脂製のものである。
【００１７】
ベース板１０は、ファイル対象物２の左端部の下面に当接させる為の細長い金属製の薄板であり、このベース板１０は、ファイル本体３の裏表紙３ｃの左端部に固定されている。このベース板１０の左端部にはベース板１０から直角に立ち上げられた立ち上げ板部１１が一体形成され、立ち上げ板部１１の上端には、左方へ直角に折り曲げた水平フランジ部１２が形成されている。
【００１８】
図１〜図４に示すように、押圧板２０は、ファイル対象物２の左端部の上面を押圧する為の金属製の薄板である。この押圧板２０は、ベース板１０よりも短い細長の矩形に形成されている。押圧板２０の両方の端部付近部には、金属製の板片２１が夫々固着され、各板片２１には押圧板２０の幅方向（左右方向）向きの軸線と平行なロッド挿通部２２が形成され、各ロッド挿通部２２にはロッド２３が左右方向向きの軸線回りに回動自在に装着され、各ロッド２３の左端部が押圧板２０から突出し、各ロッド２３は例えば止め輪２４によりロッド挿通部２２から左方へ離脱しないようになっている。押圧板２０の下面には、厚さ２〜３ｍｍ位の弾力性のある硬めの発泡体などからなる弾性板２５が取り付けられている。
【００１９】
図１〜図４に示すように、押圧板２０をベース板１０に連結する金属製の１対のリンク３１，３２が設けられている。この１対のリンク３１，３２の上端部が押圧板２０に装着された１対のロッド２３の左端部に夫々固着されている。  このファイル１においては、ファイル１の最大厚さはリンク３１，３２の長さに依存しており、本実施形態の場合、リンク３１，３２の長さは約６ｃｍ、リンク３１，３２の厚さは約２〜３ｍｍ、リンク３１，３２の幅は約４〜６ｍｍである。但し、この構造のファイル１において、ファイル１の最大厚さを約２〜８ｃｍ、又は８ｃｍ以上に設定することも可能で、その場合はリンク３１，３２の長さもファイル１の最大厚さに応じて設定される。リンク３１，３２の厚さや幅はリンク３１，３２の長さに応じて適宜設定することができる。
【００２０】
図１、図４に示すように、ガイド機構４０はベース板１０の上面近傍部に設けられる。このガイド機構４０は、１対のリンク３１，３２の下端部をこれら下端部が離隔したり接近したりする方向へスライド自在に案内支持する。ガイド機構４０は、ベース板１０の左端部から立上げた立上げ板部１１にベース板１０と平行に形成した１対のガイドスリット４１と、１対のリンク３１，３２の下端部に夫々固着された１対のピン部材４２であって、ガイドスリット４１にスライド自在に挿通された１対のピン部材４２とを有する。
【００２１】
尚、ピン部材４２の直径はガイドスリット４１の上下幅とほぼ等しく、ピン部材４２はガイドスリット４１内で上下にガタつかないようになっている。リンク３１，３２の下端部は立上げ板部１１の右側面に接触しており、立上げ板部１１と平行に鉛直姿勢を保持するようになっている。
【００２２】
図１〜図５に示すように、一方向ロック機構５０は、１対のリンク３１，３２の下端部が相接近方向へ移動しないようにロック可能で且つそれら下端部が相離隔方向へ移動するのを許容する。一方向ロック機構５０は、立上げ板部１１の左側近傍位置で１対のガイドスリット４１と平行に延びるバー部材５３と、このバー部材５３のうちの一方のガイドスリット４１に対応する部分の一側部に小間隔おきに形成された複数の第１係止歯５１と、バー部材５３のうちの他方のガイドスリット４１に対応する部分の一側部に小間隔おきに形成された複数の第２係止歯５２と、一方のリンク３１の下端部に設けられ第１係止歯５１で係止される例えば３枚の第１板バネ５４と、他方のリンク３２の下端部に設けられ第２係止歯５２で係止される例えば３枚の第２板バネ５５とを備えている。
【００２３】
図４、図５に示すように、複数の第１係止歯５１は、バー部材５３の長さ方向に例えば２ｍｍピッチで形成され、平面視にて鋸の歯のような形状になっている。複数の第２係止歯５２は、複数の第１係止歯５１と同様の構造であるが、複数の第１係止歯５１と対称に（反対向きに）形成されている。３枚の第１板バネ５４と３枚の第２板バネ５５は対称（反対向き）の構造であり、３枚の第１板バネ５４が一方のリンク３１の下端部のピン部材４２に連結され、３枚の第２板バネ５５が他方のリンク３２の下端部のピン部材４２に連結されている。
【００２４】
そこで、３枚の第１板バネ５４の構造について説明する。図５に示すように、第１板バネ５４は取付け板部５４ａと斜板部５４ｂとを一体形成したものである。３枚の第１板バネ５４の３枚の取付け板部５４ａは、立上げ板部１１の左側面に近接した状態に配設され、これらの取付け板部５４ａのピン穴にピン部材４２が挿通され、ピン部材４２の左端部にナット部材４３が固着され、３枚の取付け板部５４ａは立上げ板部１１とナット部材４３の間にほぼ密着状に保持されている。３枚の取付け板部５４ａは立上げ板部１１から水平に延びたフランジ部１２の下面に当接してピン部材４２の回りに回動しないようになっている。
【００２５】
３枚の第１板バネ５４の斜板部５４ｂは、バー部材５３の長さ方向に例えば（４／３）ｍｍおきに、第１係止歯５１に係合可能に配設され、何れか１つの斜板部５４ｂが第１係止歯５１に係合している。従って、ピン部材４２がバー部材５３の長さ方向に（２／３）ｍｍ移動する毎に、何れかの斜板部５４ｂが第１係止歯５１に係合する。前記バー部材５３は、立上げ板部１１の両端部から左方へ延ばした１対の張出し片５６に回動自在に枢着されている。
【００２６】
切換え機構６０は、一方向ロック機構５０をロック状態とロック不能状態とに亙って切換える為のものである。ロック状態は、一方向ロック機構５０がロック機能を発揮する状態であり、ロック不能状態とは一方向ロック機構５０がロック機能を発揮しない状態である。切換え機構６０は、バー部材５３の手前側端部に固定された操作レバー６１を有する。図１〜図６は一方向ロック機構５０をロック状態にした状態を示す。図７は一方向ロック機構５０をロック不能状態にした状態を示す。
【００２７】
図１〜図６に示すように、操作レバー６１を横向き姿勢にした状態では、第１，第２係止歯５１，５２が第１、第２板バネ５４，５５に対面し、何れかの第１板バネ５４が第１係止歯５１に係合し、何れかの第２板バネ５５が第２係止歯５２に係合している。図７に示すように、操作レバー６１を立向き姿勢にした状態では、第１，第２係止歯５１，５２が下側を向き、第１、第２板バネ５４，５５に対面しないため、一方向ロック機構５０がロック機能を発揮しない。
【００２８】
次に、以上説明したファイル用押圧装置４の作用について説明する。  ファイル対象物２をファイルする場合、切換え機構６０の操作レバー６１を手で立向き姿勢に回して、一方向ロック機構５０をロック不能状態に切換える。その状態で、押圧板２０を手で上方へ引き上げると、１対のリンク３１，３２の下端部はガイド機構４０で案内されつつ相接近方向へ移動する。次に、ファイルしようとするファイル対象物２の左端部を押圧板２０とベース板１０の間、または、押圧板２０と既にファイル済みのファイル対象物２の間に差込む。
【００２９】
次に、切換え機構６０の操作レバー６１を横向き姿勢に回して一方向ロック機構５０をロック可能状態に切換えてから、押圧板２０を手で下方へ強く押圧すると、１対のリンク３１，３２の下端部がガイド機構４０で案内されつつ相離隔方向へ移動していき、一方向ロック機構５０により相接近方向へ移動しないようにロックされる。従って、押圧板２０を手で押圧した状態を維持したままファイル対象物２をファイルすることができる。特に、第１，第２係止歯５１，５２が２ｍｍおきの間隔で形成され、リンク３１，３２の下端部が（２／３）ｍｍ移動する毎に第１，第２板バネ５４，５５がロックされるので、また弾性板２５があるので、少量ずつのファイル対象物を綴じる場合でも押圧可能であり、ファイル対象物の厚さの大小によらず、強力に押圧することができる。ファイル対象物２が薄い状態では、１対のリンク３１，３２が、ベース板１０とほぼ平行な状態となり、ファイル対象物２を押圧しにくくなるため、押圧板２０の下面の厚さ２〜３ｍｍの弾性板２５の弾力性を活用して確実に押圧することができる。
【００３０】
ファイル対象物２がある程度厚くなった状態では、ファイル対象物２が僅かに圧縮可能になるので、押圧板２０を押圧してファイル対象物２を押圧後、１対のリンク３１，３２の下端部を相離隔方向へ２／３〜４／３ｍｍ程度強制的に移動させることにより押圧力を強化することもできる。押圧板２０の両端側でファイル対象物２の厚さが異なる場合にも、リンク３１，３２の傾きを異ならせることができるから、ファイル対象物２を確実に押圧することができる。尚、片方のリンク３１（３２）の下端部を前記と同方向へ強制的に移動させることもできる。ファイル対象物２が最大厚さ近くなると、押圧板２０の下降量に対するリンク３１，３２の下端部の水平移動量の比率が小さくなるため押圧しにくくなるが、この場合でも、厚いファイル対象物２の圧縮性が大きくなるため、また弾性板２５があるため、良好にファイルすることができる。
【００３１】
カバンなどに入れて持ち運ぶようなファイル１の場合、図８〜図１０示すように、ファイル対象物２の厚さに応じてファイル本体３の背表紙３ｂの幅が変化するように構成してもよい。この場合、表紙３ａに複数の折れ線部３ｄ，３ｅを形成しておき、ファイル対象物２の厚さに応じた折れ線部３ｄ，３ｅの個所で折ることで背表紙３ｂの幅を拡大していく。
【００３２】
このように、操作レバー６１の切換え、押圧板２０の引上げ、ファイル対象物２の差込み、操作レバー６１の切換えと押圧板２０の押圧を介してファイル対象物２を簡単に迅速に強固にファイルすることができる。また、スプリングなどの弾性部材の弾性力でファイルするのではなく、押圧板２０を手で押圧した力を維持したままファイルすることができるから、ファイル対象物２を厚くファイルするのに好適である。リンク３１，３２の上端部は押圧板２０に回動自在に装着されたロッド２３の端部に固着されているため、１対のリンク３１，３２が傾動しても、押圧板２０をファイル対象物２と平行な水平姿勢に保持できる。
【００３３】
ガイド機構４０は金属製のベース板１０から立上げた立上げ板部１１にベース板１０と平行に形成した１対のガイドスリット４１を有するため、ガイドスリット４１をベース板１０の近傍位置に形成して、ガイド機構４０をベース板１０の近傍位置に形成することができるから、薄いファイル対象物２を押圧することも可能になる。ベース板１０から立ち上げた立上げ板部１１に形成した１対のガイドスリット４１を利用して１対のリンク３１，３２の下端部を案内できるため、ガイド機構４０の構造も簡単になる。
【００３４】
一方向ロック機構５０は、バー部材５３と、このバー部材５３に形成した複数の第１係止歯５１及び複数の第２係止歯５２と、第１板バネ５４及び第２板バネ５５などで構成したので、構成が簡単になるだけでなく、切換え機構６０の構成が簡単になる。また、押圧板２０の下面の弾性板２５は、ファイル対象物２に対する滑り止めとしても機能する。１対のリンク３１，３２は、ファイル対象物２の左端を受け止める部材としても機能する。
【００３５】
次に、前記実施形態を部分的に変更する変更形態について説明する。
１）各リンク３１，３２とロッド２３とを一体部材で構成してもよく、又は各リンク３１，３２とロッド２３とピン部材４２とを一体部材で構成してもよい。
２）板片２１を省略し、押圧板２０に直接ロッド挿通部を形成してもよい。
３）ファイル本体３に、リンク３１，３２の長さにほぼ等しい幅の背表紙３ｂと、裏表紙３ｃと、この裏表紙３ｃと同じ大きさの表紙３ａとを設けてもよい。この場合、ファイル本体３を厚手の厚紙を用いて構成してもよい。
【００３６】
４）押圧板２０に弾性板２５を設ける代わりに、ベース板１０の上面に弾性板を設けてもよいし、また、弾性板２５の代わりに板バネを押圧板２０の下面又はベース板１０の上面に設けてもよい。
５）前記実施形態では、丸棒材からなるバー部材５３を採用したが、板材を素材とするバー部材を採用してもよい。
【００３７】
【００３８】
６）ガイド機構として、合成樹脂製の溝付きのガイド部材を設け、このガイド部材の溝で案内支持される合成樹脂製の１対の移動体を設け、この１対の移動体にリンク３１，３２の下端部を連結してもよい。その１対の移動体に第１，第２板バネの代わりの弾性変形可能な１又は複数の爪部を形成してもよい。
【００３９】
７）ガイド機構として、前記ベース板２０と一体の立ち上がり板部とフランジ部とで案内支持される合成樹脂製の１対の移動体を設け、この１対の移動体に１対のリンク３１，３２の下端部夫々連結してもよい。
８）一方向ロック機構のバー部材５３は、合成樹脂で構成してもよく、その場合、第１，第２係止歯５１，５２は２ｍｍより細かいな間隔で形成できるし、また、バー部材５３の全長に第１，第２係止歯５１，５２を形成してもよい。第１，第２板バネ５４の代わりに、合成樹脂製の部材に一体形成した弾性変形可能な１又は複数の爪部であって第１，第２係止歯５１，５２と同様の構造の１又は複数の爪部を適用してもよい。
【００４０】
９）本実施形態のファイル用押圧装置は、ファイル本体を省略した形のファイル用押圧装置としても使用することができる。例えば、書類、ハガキ、カード、名刺、封筒、シート、フィルム、写真、本、新聞等々をを押圧してクランプする押圧装置に構成することができる。この場合、ファイル対象物のサイズやファイルしたときの厚さに応じて、押圧装置のサイズを適宜設定するものとする。その他、本発明の趣旨を逸脱しない範囲で、種々の変更や変形を付加した形態で実施できることは言うまでもない。
【００４１】
【発明の効果】
請求項１の発明によれば、押圧板とベース板とを連結する１対のリンクを介して押圧板を上下に移動させるように構成し、１対のリンクの下端部をスライド自在に案内するガイド機構と、一方向ロック機構と、切換え機構を設けたので、一方向ロック機構をロック不能状態に切換えた状態で、押圧板を手で簡単に引上げてファイル対象物を簡単に迅速に綴じ込むことができる。また、一方向ロック機構をロック状態に切換えた状態で、押圧板を手で押圧するという簡単な操作でファイル対象物を簡単に押圧挟持することができる。
【００４２】
このとき、押圧板を押圧する力を強くする程ファイル対象物を強く押圧して挟持することができる。弾性部材の弾性力で書類を押圧するのではなく、手動で押圧したときの押圧力を維持したまま一方向ロック機構で機械的にロックしておくことができるから、厚型のファイルに好適のファイル用押圧装置になる。その他、このファイル用押圧装置は、表紙と背表紙と裏表紙とを含むファイル本体に取り付けた形で使用することもできるし、ファイル本体に取り付けることなく種々のファイル対象物を単独で押圧してファイルする押圧装置としても適用可能である。
【００４３】
【００４４】
そして、ベース板は金属製の薄板で構成され、ガイド機構はそのベース板に固定された立上げ板部にベース板と平行に形成した１対のガイドスリットを有するため、ガイドスリットをベース板の近傍位置に形成して、ガイド機構をベース板の近傍位置に形成することができるから、薄いファイル対象物を押圧することも可能になる。ベース板から立ち上げた立上げ板部に形成した１対のガイドスリットを利用して１対のリンクの下端部を案内できるため、ガイド機構の構造も簡単になる。
【００４５】
しかも、一方向ロック機構がロック可能状態にあり、１対のリンクの下端部が相離隔方向へ移動するとき、一方のリンクの下端部に設けられた第１板バネは第１係止歯を乗り越えながら移動し、他方のリンクの下端部に設けられた第２板バネは第２係止歯を乗り越えながら移動する。そのため、ファイル対象物を押圧する際にカチカチという音がするから、押圧操作の実感が湧き易い。第１，第２板バネの弾性変形を介して、複数の第１係止歯と複数の第２係止歯が形成されたバー部材を例えば９０度回動させると、一方向ロック機構がロック不能状態に切換わるので、簡単な構成の切換え機構を実現することができる。 請求項２の発明によれば、リンクの上端部は、押圧板にその幅方向と平行な軸線回りに回動自在に装着されたロッドの端部に固着されているため、１対のリンクが傾動しても、押圧板をファイル対象物と平行な水平姿勢に保持することができる。その他、請求項１と同様の効果を奏する。
【図面の簡単な説明】
【図１】本発明の実施の形態に係るファイル用押圧装置を組み込んだファイルの斜視図である。
【図２】ファイル用押圧装置の要部平面図である。
【図３】ファイル用押圧装置の断面図である。
【図４】ファイルの右側面図である。
【図５】一方向ロック機構の要部拡大平面図である。
【図６】一方向ロック機構（ロック可能状態）の拡大断面図である。
【図７】一方向ロック機構（ロック不能状態）の拡大断面図である。
【図８】ファイル対象物の厚さが小さい段階におけるファイルの断面図である。
【図９】ファイル対象物の厚さが中位の段階におけるファイルの断面図である。
【図１０】ファイル対象物が厚い段階におけるファイルの断面図である。
【符号の説明】
２          ファイル対象物
４          ファイル用押圧装置
１０        ベース板
１１        立ち上げ板部
２０        押圧板
２３        ロッド
３１，３２    リンク
４０        ガイド機構
４１        スリット
４２        ピン部材
５０        一方向ロック機構
５１，５２    第１，第２係止歯
５３          バー部材
５４，５５    第１，第２板バネ
６０          切換え機構
【図１】
0003753918.tif 000002
【図２】
0003753918.tif 000003
【図３】
0003753918.tif 000004
【図４】
0003753918.tif 000005
【図５】
0003753918.tif 000006
【図６】
0003753918.tif 000007
【図７】
0003753918.tif 000008
【図８】
0003753918.tif 000009
【図９】
0003753918.tif 000010
【図１０】
0003753918.tif 000011